(57)【特許請求の範囲】
【請求項１】
テレビ等の電気機器を制御するために送信された赤外線データを、電池（１１）で駆動されるリモートコントロール操作部（１０）の赤外線受光素子（１９）で受信してメモリ（２０）に記憶する学習機能と、記憶された前記赤外線データを赤外線発光素子（１８）から送信して前記電気機器を制御する通常機能とを有する赤外線リモートコントロール装置において、
前記電池の極性を検出する極性検出回路（１６）と、前記極性検出回路からの出力を受けて前記通常機能と前記学習機能を切り替える切替手段（２１、２２）とを設けたことを特徴とする赤外線リモートコントロール装置。
【発明の詳細な説明】
【０００１】
【発明の属する技術分野】
本発明は赤外線等を利用したリモートコントロール装置に係わり、特に学習機能が備えられた赤外線リモートコントロール装置の学習機能と通常機能とを切り替えることができる赤外線リモートコントロール装置に関する。
【０００２】
【従来の技術】
近年、家庭内においてはテレビ、エアコン、照明等あらゆる電気機器を遠隔制御するために、赤外線を利用したリモートコントロール装置（以下、赤外線リモコンと称す）が用いられている。この赤外線リモコンで電気機器を遠隔制御するためには、それぞれの電気機器に対応した専用の赤外線リモコンを使用せねばならず、一つの部屋に赤外線リモコンが数台置かれることが普通になってきている。よって、それぞれの電気機器に対応した赤外線リモコンを個々に操作しなければならず、リモコン操作が煩雑になっていた。
【０００３】
このようなリモコン操作の煩雑さを解消するために、学習機能が付加された赤外線リモートコントロール装置（以下、学習機能付赤外線リモコンと称す）が実用化され、販売されてきている。この学習機能付赤外線リモコンは図３の説明図に示すように、赤外線を利用したテレビ、エアコン、照明等の電気機器に用いられるリモートコントロール装置（以下、リモコンと称す）２ａ、２ｂ、２ｃから送信される各種赤外線データを学習するために、学習機能付赤外線リモコン１００を学習機能モードに設定して学習を行なった後、テレビ、エアコン、照明等の電気機器を該当する赤外線データにより通常機能モードで遠隔制御するものである。
【０００４】
この学習機能付赤外線リモコン１００の具体的な構成は、図２のブロック図に示すリモートコントロール操作部（以下、リモコン操作部と称す）１１０からなり、このリモコン操作部１１０には、当該リモコン１００の駆動電源として用いられる電池１１１と、電池１１１の逆挿入による当該リモコン１００の破壊を防止する破壊防止用ダイオード１１２と、当該リモコン１００の学習機能モードと通常機能モードとを切り替えるために操作される学習機能設定スイッチ１１３と、学習させたいリモコンおよび遠隔制御させる電気機器をそれぞれ選択するために押下（押下操作）される選択操作スイッチ１１４ａ、１１４ｂ、１１４ｃと、遠隔制御させる電気機器および学習させたいリモコンとの無線による赤外線データの送受信を行なう発光ダイオードからなる赤外線発光素子１１５、ＮＰＮ型トランジスタからなる赤外線受光素子１１６と、各電気機器およびリモコンに対応したメモリ領域１１７ａ、１１７ｂ、１１７ｃが割り当てられたＲＡＭからなるメモリ１１７と、学習機能設定スイッチ１１３および選択操作スイッチ１１４ａ、１１４ｂ、１１４ｃのオン／オフにより、選択された電気機器またはリモコンとの赤外線データの送受信を切り替えるデータ送受信切替制御回路（以下、ＤＳＣ：Data source and sink control unitと称す）１１８と、同様にメモリ１１７内に割り当てられたメモリ領域１１７ａ、１１７ｂ、１１７ｃの所定のアドレスを選択して、リモコンから送信される各種赤外線データを書き込み、または読み出すよう制御するランダムアクセス制御回路（以下、ＲＡＣ：Random access control unitと称す）１１９と、ＤＳＣ１１８の制御によりオン／オフ切り替えられるデータ送信用スイッチ１２０ａ、１２０ｂ、１２０ｃおよびデータ受信用スイッチ１２１ａ、１２１ｂ、１２１ｃとが備えられている。
【０００５】
電池１１１の（＋）極には、破壊防止用ダイオード１１２を介して電源Ｖccと学習機能設定スイッチ１１３の学習機能メイク接点Ｐ102との接続点が、（−）極には、学習機能設定スイッチ１１３の通常機能メイク接点Ｐ103と基準電位点との接続点がそれぞれ接続されている。また、学習機能設定スイッチ１１３の切替接点Ｐ101には、ＤＳＣ１１８、ＲＡＣ１１９の入力側がそれぞれ接続されている。
【０００６】
選択操作スイッチ１１４ａ、１１４ｂ、１１４ｃの一端には基準電位点が、他端にはＤＳＣ１１８、ＲＡＣ１１９の入力側がそれぞれ接続されている。また、ＤＳＣ１１８の出力側には、データ送信用スイッチ１２０ａ、１２０ｂ、１２０ｃおよびデータ受信用スイッチ１２１ａ、１２１ｂ、１２１ｃの制御入力側がそれぞれ接続されている。更に、ＲＡＣ１１９の出力側には、メモリ１１７内に割り当てられたメモリ領域１１７ａ、１１７ｂ、１１７ｃの制御入力側がそれぞれ接続されている。
【０００７】
エミッタが基準電位点に接続された赤外線受光素子１１６のコレクタには、データ受信用スイッチ１２１ａ、１２１ｂ、１２１ｃをそれぞれ介して、メモり１１７内に割り当てられたメモリ領域１１７ａ、１１７ｂ、１１７ｃのデータ入力側がそれぞれ接続されている。また、メモリ１１７内に割り当てられたメモリ領域１１７ａ、１１７ｂ、１１７ｃのデータ出力側には、データ送信用スイッチ１２０ａ、１２０ｂ、１２０ｃをそれぞれ介して、カソードが基準電位点に接続された赤外線発光素子１１５のアノードが接続されている。
【０００８】
このように構成された学習機能付赤外線リモコン１００において、以下、その動作について説明する。尚、図４の説明図に示すように学習機能付赤外線リモコン１００により遠隔制御される電気機器はテレビ３ａとする。
学習機能付赤外線リモコン１００を通常機能モードから学習機能モードに移行させるためには、図２のブロック図に示すようにリモコン操作部１１０の学習機能設定スイッチ１１３を切り替えて学習機能メイク接点Ｐ102を閉成させる。また、学習機能付赤外線リモコン１００を用いてテレビ用リモコン２ａから送信されるチャンネルデータとしての赤外線データを学習させるためには、図３の説明図に示すようにリモコン操作部１１０の赤外線受光素子１１６と、学習させたいテレビ用リモコン２ａの発光部（図示せず）とを対面させるとともに、テレビ用リモコン２ａおよびテレビ３ａに割り当てられた選択操作スイッチ１１４ａを押下する。これにより、ＤＳＵ１１８およびＲＡＣ１１９は、当該リモコン１００が通常機能モードから学習機能モードに移行されたことを検出し、ＤＳＵ１１８の制御によりデータ受信用スイッチ１２１ａがオンされるとともに、ＲＡＣ１１９の制御によりメモリ１１７内に割り当てられたメモリ領域１１７ａの所定のアドレスを選択するためのアドレス制御信号Ｓ101と、選択されたメモリ領域１１７ａのアドレスにテレビ用リモコン２ａから送信されるチャンネルデータとしての赤外線データを書き込むための書込制御信号Ｓ102とがそれぞれ出力される。
【０００９】
学習機能付赤外線リモコン１００を学習機能モードに設定した後、テレビ用リモコン２ａの登録したいチャンネルボタン（詳述せず）が押下されると、図示しない発光部からチャンネルデータとしての赤外線データＤ101aが送信され、この赤外線データＤ101aは対向したリモコン操作部１１０の赤外線受光素子１１６にて受信され、オンされたデータ受信用スイッチ１２１ａを介して、メモリ１１７内の選択されたメモリ領域１１７ａのアドレスに書き込まれ記憶される。この後、学習機能設定スイッチ１１３を切り替えて通常機能メイク接点Ｐ103を閉成させることにより、学習機能モードが完了し通常機能モードに移行される。
【００１０】
このような上述の手順を繰り返してテレビ用リモコン２ａから送信されるチャンネルデータを記憶させた学習機能付赤外線リモコン１００を用いてテレビ３ａを遠隔制御するために、図４の説明図に示すように学習機能付赤外線リモコン１００とテレビ３ａとを対面させ、選択操作スイッチ１１４ａを押下すると、ＤＳＣ１１８の制御によりデータ送信用スイッチ１２０ａがオンされるとともに、ＲＡＣ１１９の制御によりメモリ１１７内に割り当てられたメモリ領域１１７ａのアドレスに記憶されたチャンネルデータとしての赤外線データＤ101aを読み出すための読出制御信号Ｓ103が出力される。よって、メモリ１１７内に割り当てられたメモリ領域１１７ａより読み出された赤外線データＤ101aは、オンされたデータ送信用スイッチ１２０ａを介して赤外線発光素子１１５から送信され、テレビ３ａの図示しない受光部にて受信され、テレビ３ａのチャンネルが切り替えられる。
【００１１】
【発明が解決しようとする課題】
しかしながら、従来の赤外線リモコンは上述のように構成されているので、リモコン操作部１１０に学習機能モードを能動にするための学習機能設定スイッチ１１３を設けなくてはならず、スイッチ単品、スイッチのつまみ等の構成部品が高価になるといった難点があった。
【００１２】
本発明は上述の難点を解消するためになされたもので、学習機能が備えられた赤外線リモートコントロール装置において、学習機能モードおよび通常機能モードの設定をスイッチ（学習機能設定スイッチ）の切り替えではなく、赤外線リモートコントロール装置の駆動用電源として用いられる電池の逆挿入および正常挿入から検出される極性の相違をもとにそれぞれ切り替えることにより、学習機能モードを能動にするための構成部品の点数を削減させた赤外線リモートコントロール装置を提供することを目的とする。
【００１３】
【課題を解決するための手段】
このような目的を達成するため、本発明による赤外線リモートコントロール装置は、テレビ等の電気機器を制御するために送信された赤外線データを、電池で駆動されるリモートコントロール操作部の赤外線受光素子で受信してメモリに記憶する学習機能と、記憶された赤外線データを赤外線発光素子から送信して電気機器を制御する通常機能とを有する赤外線リモートコントロール装置において、電池の極性を検出する極性検出回路と、極性検出回路からの出力を受けて通常機能と学習機能を切り替える切替手段とを設けたものである。
【００１４】
このような赤外線リモートコントロール装置によれば、テレビ等の電気機器に用いられるリモコンから送信される各種赤外線データを学習する学習機能モードでは、リモートコントロール操作部に挿入される電池の極性を逆（逆方向）にすることより極性検出回路がこの極性を検出し、赤外線受光素子にて受信された赤外線データは切替手段により制御されたメモリに記憶される。また、記憶された赤外線データで電気機器を遠隔制御する通常機能モードでは、リモートコントロール操作部に挿入される電池の極性を正常（正常方向）にすることにより極性検出回路がこの極性を検出し、メモリに記憶された赤外線データが赤外線発光素子から送信されることから、電気機器を遠隔制御できる。
【００１５】
【発明の実施の形態】
以下、本発明による赤外線リモートコントロール装置を適用した好ましい形態の一実施例について、図面を参照して説明する。
本発明による赤外線リモートコントロール装置の一実施例である学習機能付赤外線リモコン１は、従来の学習機能付赤外線リモコン１００と同様、図３の説明図に示すように、テレビ、エアコン、照明等の電気機器に用いられる赤外線を利用したリモコン２ａ、２ｂ、２ｃから送信される各種赤外線データを学習するために、学習機能付赤外線リモコン１を学習機能モードに設定して学習を行なった後、テレビ、エアコン、照明等の電気機器を該当する赤外線データにより通常機能モードで遠隔制御するものである。
【００１６】
この学習機能付赤外線リモコン１の具体的な構成は、図１のブロック図に示すリモコン操作部１０からなり、このリモコン操作部１０には、当該リモコン１の駆動電源として用いられる電池１１と、電池１１の正常挿入または逆挿入による当該リモコン１の破壊を防止する破壊防止用ダイオード１２、１３、１４、１５と、電池１１の極性を検出する極性検出用ダイオード１６と、学習させたいリモコンおよび遠隔制御させる電気機器を選択するために押下（押下操作）される選択操作スイッチ１７ａ、１７ｂ、１７ｃと、遠隔制御させる電気機器および学習させたいリモコンとの無線による赤外線データの送受信を行なう発光ダイオードからなる赤外線発光素子１８、ＮＰＮ型トランジスタからなる赤外線受光素子１９と、各電気機器およびリモコンに対応したメモリ領域２０ａ、２０ｂ、２０ｃが割り当てられたＲＡＭからなるメモリ２０と、極性検出用ダイオード１６および選択操作スイッチ１７ａ、１７ｂ、１７ｃのオン／オフにより、選択された電気機器またはリモコンとの赤外線データの送受信を切り替えるＤＳＣ２１と、同様にメモリ２０内に割り当てられたメモリ領域２０ａ、２０ｂ、２０ｃの所定のアドレスを選択して、リモコンから送信される各種赤外線データを書き込み、または読み出すよう制御するＲＡＣ２２と、ＤＳＣ２１の制御によりオン／オフ切り替えられるデータ送信用スイッチ２３ａ、２３ｂ、２３ｃおよびデータ受信用スイッチ２４ａ、２４ｂ、２４ｃとが備えられている。
【００１７】
電池１１がリモコン操作部１０に正常（正常方向）に挿入されている場合において、電池１１の（＋）極には、破壊防止用ダイオード１２を介して電源Ｖccと破壊防止用ダイオード１３のカソードとの接続点が接続されており、（−）極には、アノードが基準電位点に接続された破壊防止用ダイオード１４のカソードが接続されている。また、電池１１の（−）極と極性検出用ダイオード１６のアノードとの接続点には破壊防止用ダイオード１３のアノードが接続されており、電池１１の（＋）極と破壊防止用ダイオード１４のアノード間には破壊防止用ダイオード１５が並列接続されている。
【００１８】
一方、電池１１がリモコン操作部１０に逆（逆方向）に挿入されている場合において、電池１１の（＋）極には、アノードが基準電位点に接続された破壊防止用ダイオード１４のカソードが接続されており、（−）極には、破壊防止用ダイオード１２を介して電源Ｖccと破壊防止用ダイオード１３のカソードとの接続点が接続されている。また、電池１１の（＋）極と極性検出用ダイオード１６のアノードとの接続点には破壊防止用ダイオード１３のアノードが接続されており、電池１１の（−）極と破壊防止用ダイオード１４のアノード間に破壊防止用ダイオード１５が並列接続されている。
【００１９】
ＤＳＣ２１の第１の入力端子Ｐ1には、極性検出用ダイオード１６のカソードが、第２、第３、第４の入力端子Ｐ2、Ｐ3、Ｐ4には、一端が基準電位点にそれぞれ接続された選択操作スイッチ１７ａ、１７ｂ、１７ｃの他端が、第１、第２、第３の出力端子Ｐ5、Ｐ6、Ｐ7には、入力側がメモリ２０内に割り当てられたメモリ領域２０ａ、２０ｂ、２０ｃのデータ出力側に接続され、出力側が赤外線発光素子１８のアノードに接続されたデータ送信用スイッチ２３ａ、２３ｂ、２３ｃの制御入力側が、第４、第５、第６の出力端子Ｐ8、Ｐ9、Ｐ10には、入力側が赤外線受光素子１９のコレクタに接続され、出力側がメモリ２０内に割り当てられたメモリ領域２０ａ、２０ｂ、２０ｃのデータ入力側にそれぞれ接続されたデータ受信用スイッチ２４ａ、２４ｂ、２４ｃの制御入力側がそれぞれ接続されている。また、赤外線発光素子１８のカソードおよび赤外線受光素子１９のエミッタには基準電位点がそれぞれ接続されている。
【００２０】
ＲＡＣ２２の第１の入力端子Ｐ11には、極性検出用ダイオード１６のカソードが、第２、第３、第４の入力端子Ｐ12、Ｐ13、Ｐ14には、一端が基準電位点にそれぞれ接続された選択操作スイッチ１７ａ、１７ｂ、１７ｃの他端が、第１、第２、第３、第４、第５の出力端子Ｐ15、Ｐ16、Ｐ17、Ｐ18、Ｐ19には、メモリ２０の制御（アドレス選択制御、書込制御、読出制御）入力側がそれぞれ接続されている。
【００２１】
このように構成された学習機能付赤外線リモコン１において、以下、その動作について説明する。尚、図４の説明図に示すように学習機能付赤外線リモコン１により遠隔制御される電気機器は、従来の学習機能付赤外線リモコン１００と同様にテレビ３ａとする。
学習機能付赤外線リモコン１を通常機能モードから学習機能モードに移行させるためには、図１のブロック図に示すようにリモコン操作部１０に挿入される電池１１を逆挿入する。また、学習機能付赤外線リモコン１を用いてテレビ用リモコン２ａから送信されるチャンネルデータとしての赤外線データを学習させるためには、図３の説明図に示すようにリモコン操作部１０の赤外線受光素子１９と、学習させたいテレビ用リモコン２ａの発光部（図示せず）とを対面させるとともに、テレビ用リモコン２ａおよびテレビ３ａに割り当てられた選択操作スイッチ１７ａを押下する。これにより、電池１１の（＋）極より送出される電流Ｉは、破壊防止用ダイオード１３を介して当該リモコン１の電源（回路電源）とされ、破壊防止用ダイオード１５を介して（−）極に入力される。よって、極性検出用ダイオード１６のアノードには電池１１の（＋）極が接続されアノード、カソード間が導通となり、ＤＳＣ２１およびＲＡＣ２２の第１の入力端子Ｐ1、Ｐ11の電位レベルはそれぞれＨighレベルとなる。また、選択操作スイッチ１７ａが押下されることにより、ＤＳＣ２１およびＲＡＣ２２の第２の入力端子Ｐ2、Ｐ12の電位レベルはそれぞれＨighレベルとなる。
【００２２】
ＤＳＣ２１およびＲＡＣ２２は、上述の第１、第２の入力端子Ｐ1、Ｐ11、およびＰ2、Ｐ12の電位レベルがそれぞれＨighレベルとなることにより、当該リモコン１が通常機能モードからテレビ用リモコン２ａから送信されるチャンネルデータとしての赤外線データを学習するための学習機能モードに移行されたことを検出する。これにより、ＤＳＣ２１の第４の出力端子Ｐ8の電位レベルはＬowレベルとなりデータ受信用スイッチ２４ａがオンされる。また、ＲＡＣ２２の第１、第４の出力端子Ｐ15、Ｐ18の電位レベルはそれぞれＬowレベルとなり、第１の出力端子Ｐ15からメモリ２０内に割り当てられたメモリ領域２０ａの所定のアドレスを選択するためのアドレス選択信号Ｓ1が出力されるとともに、第４の出力端子Ｐ18から選択されたメモリ領域２０ａのアドレスにテレビ用リモコン２ａから送信されるチャンネルデータとしての赤外線データを書き込むための書込制御信号Ｓ2が出力される。
【００２３】
学習機能付赤外線リモコン１を学習機能モードに設定した後、テレビ用リモコン２ａの登録したいチャンネルボタン（詳述せず）が押下されると、図示しない発光部からチャンネルデータとしての赤外線データＤ1aが送信され、この赤外線データＤ1aは対向したリモコン操作部１０の赤外線受光素子１９にて受信され、オンされたデータ受信用スイッチ２４ａを介して、メモリ２０内の選択されたメモリ領域２０ａのアドレスに書き込まれ記憶される。
【００２４】
このような手順を繰り返してテレビ用リモコン２ａから送信されるチャンネルデータを学習させた学習機能付赤外線リモコン１を用いてテレビ３ａを遠隔制御するためには、図１のブロック図に示すように電池１１をリモコン操作部１０に正常挿入するとともに、図４の説明図に示すように学習機能付赤外線リモコン１とテレビ３ａとを対面させ、選択操作スイッチ１７ａを押下する。これにより、電池１１の（＋）極より送出される電流Ｉ'は、破壊防止用ダイオード１２を介して当該リモコン１の電源（回路電源）とされ、破壊防止用ダイオード１４を介して（−）極に入力される。よって、極性検出用ダイオード１６のアノードには電池１１の（−）極が接続されアノード、カソード間が非導通となり、ＤＡＣ２１およびＲＡＣ２２の第１の入力端子Ｐ1、Ｐ11の電位レベルはそれぞれＬowレベルとなる。また、選択操作スイッチ１７ａが押下されることにより、ＤＳＣ２１およびＲＡＣ２２の第２の入力端子Ｐ2、Ｐ12の電位レベルはそれぞれＨighレベルとなる。
【００２５】
ＤＳＣ２１およびＲＡＣ２２は、上述の第１、第２の入力端子Ｐ1、Ｐ11、およびＰ2、Ｐ12の電位レベルがそれぞれＬowレベル、Ｈighレベルとなることにより、当該リモコン１が学習機能モードからテレビ３ａを遠隔制御するための通常機能モードに移行されたことを検出する。これにより、ＤＳＣ２１の第１の出力端子Ｐ5の電位レベルはＬowレベルとなりデータ送信用スイッチ２３ａがオンされる。また、ＲＡＣ２２の第５の出力端子Ｐ19の電位レベルはＬowレベルとなり、第５の出力端子Ｐ19からメモリ２０内に割り当てられたメモリ領域２０ａに記憶されたチャンネルデータとしての赤外線データＤ1aを読み出すための読出制御信号Ｓ3が出力される。よって、メモリ２０内に割り当てられたメモリ領域２０ａより読み出された赤外線データＤ1aは、オンされたデータ送信用スイッチ２３ａを介して赤外線発光素子１８から送信され、テレビ３ａの図示しない受光部にて受信されることから、通常機能モードに設定された学習機能付赤外線リモコン１を用いてテレビ３ａのチャンネルを切り替えるよう遠隔制御できる。
【００２６】
尚、上記実施例では、テレビ、エアコン、照明等の電気機器のうち、テレビを遠隔制御する場合について説明したが、これに限定されず、赤外線が利用されたリモコンにより制御されるあらゆる電気機器に適用でき、上記実施例と同様な効果を奏する。
【００２７】
【発明の効果】
以上の説明から明らかなように、本発明の赤外線リモートコントロール装置によれば、学習機能モードおよび通常機能モードの設定をスイッチ（学習機能設定スイッチ）の切り替えではなく、当該リモートコントロール装置の駆動電源として用いられる電池の逆挿入および正常挿入から検出される極性の相違をもとにそれぞれ切り替えることにより、学習機能モードを能動にするための構成部品の点数を削減できる。
【図面の簡単な説明】
【図１】本発明による赤外線リモートコントロール装置の一実施例の具体的な構成を示すブロック図。
【図２】従来の赤外線リモートコントロール装置の具体的な構成を示すブロック図。
【図３】テレビ、エアコン、照明等のリモートコントロール装置と、学習機能が備えられた赤外線リモートコントロール装置との関係を示す説明図。
【図４】テレビと、学習機能が備えられた赤外線リモートコントロール装置との関係を示す説明図。
【符号の説明】
１０・・・・・リモートコントロール操作部
１１・・・・・電池
１６・・・・・極性検出回路（極性検出用ダイオード）
１８・・・・・赤外線発光素子
１９・・・・・赤外線受光素子
２０・・・・・メモリ
２１、２２・・・・・切替手段（データ送受信切替制御回路、ランダムアクセス制御回路）
【図１】
0004009375.tif 000002
【図２】
0004009375.tif 000003
【図３】
0004009375.tif 000004
【図４】
0004009375.tif 000005